(57)【要約】【課題】破損し易い被収納物を耐振動性や耐衝撃性を担保して運搬や保管を可能にするとともに、そのままの状態で装飾ケースとして保管することができ、特に、任意に蓋を開けて被収納物を取り出すことを可能とする。【解決手段】開口部３１に蓋体４が開閉可能に取り付けられている有底のケース本体３の内部空間を上下に仕切るとともに被収納物２を嵌装する透窓３１を有する額縁状の中枠５が配置されている収納ケースであって、中枠５の表面の少なくとも透窓５１部分が弾性シート６で覆われており、弾性シート６の上から透窓５１部分に嵌装した被収納物２が弾性シート６の弾発力と開口部３１を閉じる蓋体４とによってケース本体３内に保持される。【選択図】図１
0003162590.tif 000002
【実用新案登録請求の範囲】
【請求項１】
開口部に蓋体が開閉可能に取り付けられている有底のケース本体の内部空間を上下に仕切るとともに被収納物を嵌装する透窓を有する額縁状の中枠が配置されている収納ケースであって、前記中枠の表面の少なくとも前記透窓部分が弾性シートで覆われており、前記弾性シートの上から透窓部分に嵌装した被収納物が弾性シートの弾発力と前記開口部を閉じる蓋体とによってケース本体内に保持されることを特徴とする収納ケース。
【請求項２】
前記弾性シートが透窓部分に前記被収納物を収納したときに被収容部の底面が弾性シートをケース本体の底部に接触させる伸張性を有しているとともに前記ケース本体の内部空間が前記被収納物の高さにほぼ等しい深さを有している特徴とする請求項１に記載の収納ケース。
【請求項３】
前記ケース本体における底部の内面にクッション材が配置されている請求項２に記載の収納ケース。
【請求項４】
前記蓋体が前記被収納物を収納した際に生じる前記クッション材または弾性シートの上方への弾発力に抗して前記ケース本体の開口部を閉じる状態を維持するに足る自重を有していることを特徴とする請求項１，２または３に記載の収納ケース。
【請求項５】
前記蓋体がケース本体の開口部縁の一端に蝶着されている請求項１，２，３または４に記載の収納ケース。
【考案の詳細な説明】
【技術分野】
【０００１】
本考案は、振動や衝撃から被収納物を保護することが可能な収納ケースに関するものであり、例えば、ガラス瓶に収容した化粧品、ワイン等の瓶入りの酒類等の各種の運搬時や保管時に破損しやすい商品であって、収納した状態で装飾的な施しが可能な収納ケースとして使用する場合に適している。
【背景技術】
【０００２】
従来、酒類、化粧品等のように運搬時や保管時に破損しやすいガラス瓶入りの商品を運搬ならびに保管する目的で収納ケースが用いられているが、多くの場合には、箱状の収納ケースに商品を収納して収納ケースとの隙間に発泡材や空気袋、丸めた紙材などの梱包材を詰めたものであり、梱包材が必要であるとともに梱包ならびに開封時の作業が面倒であるとともに充分な耐振動性や衝撃性を発揮させることができない、という問題があった。
【０００３】
そこで、例えば特開平７−３３００３４号公報、特開２００４−７５１７１号公報などに提示されているように、収容物を嵌挿する透窓を形成した中枠を収納ケース本体内に配置するとともに、前記中枠の透窓を弾性シートで覆い、この弾性シートで被収容物を収納ケースないに保持するという、いわゆるハンモック包装といわれる収容方法が知られている。
【０００４】
しかしながら、前記ハンモック包装は、倉庫での保管や搬送時における耐振動性や耐衝撃性を担保する目的で用いられるものであり、顧客に届いた際には収納ケースから取り出すことを前提に形成されている。
【０００５】
従って、顧客は前記収納ケースから取り出した被収納品を保管することになり、搬送に使用した収納ケースを廃棄することになり経済的に問題があり、また、取り出した被収納物は通常の場合は専用の収納ケースが存在しないので汎用の収納ケースを用いたりそのままの状態で家具ケースに入れたりして保管することになる。
【０００６】
そのため、使用する合には、使用中や保管中に破損してしまうということがある。また、特に高価なものである場合には特別の化粧箱を用意する必要がある等の問題がある。
【先行技術文献】
【特許文献】
【０００７】
【特許文献１】特開平７−３３００３４号公報
【特許文献２】特開２００４−７５１７１号公報
【考案の概要】
【考案が解決しようとする課題】
【０００８】
本考案は、上記のような問題を解決しようとするものであり、酒類、化粧品等のように破損し易い被収納物を耐振動性や耐衝撃性を担保して運搬や保管を可能にすることが可能であるばかりか、そのままの状態で装飾ケースとして保管することができ、特に、任意に蓋を開けて被収納物を取り出すことが可能な収納ケースを提供することを課題とする。
【課題を解決するための手段】
【０００９】
前記課題を解決するためになされた本考案である収納ケースは、 開口部に蓋体が開閉
可能に取り付けられている有底のケース本体の内部空間に前記内部空間を上下に仕切るとともに被収納物を嵌装する透窓を有する額縁状の中枠が配置されている収納ケースであっ
て、前記中枠の表面の少なくとも前記透窓部分が弾性シートで覆われており、前記弾性シートの上から透窓部分に嵌装した被収納物が弾性シートの弾発力と前記開口部を閉じる蓋体とによってケース本体内に保持されることを特徴とする。
【００１０】
また、本発明において、前記弾性シートが透窓部分に前記被収納物を収納したときに被収容部の底面が弾性シートをケース本体の底部に接触させる伸張性を有しているとともに前記ケース本体の内部空間が前記被収納物の高さにほぼ等しい深さを有している場合には被収納物がケース本体の横方向だけでなく縦方向にも移動することなく確実に固定され、前記ケース本体における底部の内面にクッション材が配置されていると更に強固に固定される。
【００１１】
更に、前記蓋体が前記被収納物を収納した際に生じる前記クッション材または弾性シートの上方への弾発力に抗して前記ケース本体の開口部を閉じる状態を維持するに足る自重を有している場合には蓋体を固定部材により固定することなしに閉じるだけで被収納物を保持することができ、前記蓋体がケース本体の開口部縁の一端に蝶着されている場合には開閉操作が容易である。
【考案の効果】
【００１２】
本考案によれば、破損し易い被収納物を耐振動性や耐衝撃性を担保して運搬や保管を可能にすることが可能であるばかりか、そのままの状態で装飾ケースとして保管することができる。
【図面の簡単な説明】
【００１３】
【図１】本考案における好ましい実施の形態を示す分解した状態を示す斜視図。
【図２】図１に示した実施の形態の蓋体を開けた状態を示す斜視図。
【図３】図１に示した実施の形態の被収納物を収納して蓋体を開けた状態を示す斜視図。
【図４】図３に示した実施の形態の蓋体を閉じた状態の縦断面図。
【図５】本考案の異なる実施の形態を示す被収納物を収納した状態を示す断面図であり、(ａ）は蓋体を開けた状態、（ｂ）は蓋体を閉じた状態を示す。
【考案を実施するための形態】
【００１４】
以下に、図面を参照しながら本考案を実施するための形態を説明する。
【００１５】
図１は本考案を、被収納物２として化粧コンパクトを収容する収納ケース１について実施した場合の好ましい実施の形態を示すものであり、収納ケース１は、主として、ケース本体３、前記ケース本体３の開口部３１に取り付けられた開口部３１を開閉する蓋体４、前記ケース本体３の内部空間３２を上下に仕切るとともに前記被収納物２を嵌装支持する透窓５１を有する額縁状の中枠５および前記中枠５の表面に敷設されて前記透窓５１を覆う弾性シート６から構成される。
【００１６】
そして、前記ケース本体３は、例えば厚紙や硬質合成樹脂などの適宜の材料により例えば平面が被収納物２の平面と同形で被収納物２の高さｈにほぼ等しいか僅かに深い深さｄを有する有底で頂面に開口部３１を形成した箱形を呈している。
【００１７】
また、前記ケース本体３の開口端３３の一部には開口部３１を開閉する蓋体４が蝶着されている。この蓋体４は前記ケース本体３と同様に厚紙や硬質合成樹脂材により形成され、後述する所定の重量を有している。
【００１８】
更に、前記ケース本体３の内部空間３２に収納される中枠５は、前記ケース本体３、蓋
体４と同様に厚紙や硬質合成樹脂材により形成され、中央に被収納物２の平面形状と同形の透窓５１を形成した基板５２の外周縁にケース本体３における側板３４・・・・３４に内接する所定高さを有する側板５３・・・・５３を垂設しており、本実施の形態では前記基板５２の表面に例えば所定の弾性を有するポリウレタン樹脂シート材からなる弾性シート６が貼着されている。
【００１９】
以上の構成を有する本実施の形態である収納ケース１は、図２に示すように、蓋体４を開けた状態で、被収容物２を中枠５の表面に貼着されている弾性シート６の上から透窓５１部分に嵌装する。
【００２０】
このとき、本実施の形態では、弾性シート６が予め所定の弾性を有しているとともに側板５３・・・・５３が所定の高さを有しており、被収容物２を中枠５の表面に貼着されている弾性シート６の上から透窓５１部分に嵌装したときに、被収容物２の上方部分２１が中枠５の表面から突出した状態で且つ被収容物２の底面２２が前記弾性シート６を介してケース本体３における底部３５の内面３６に接触するように設定されている。
【００２１】
従って、本実施の形態では搬送後に蓋体４を開けたときに、図３に示すように、ケース本体３の中枠５の透窓５１に上方部分２１を浮き上がらせた美麗な状態で被収納物２が収納される。
【００２２】
また、被収容物２は底面２２がケース本体３における底部３５の内面３６に接触した状態で収納されているのできわめて安定した状態にあり、そのままの状態で蓋体４を閉じれば、図４に示すように、被収容物２がケース本体３の底部３５の内面３６と蓋体６とにより挟持されて収納容器１内に横方向ならびに縦方向に移動することなく確実に固定された状態で収容されるのでそのままの状態で更には薄手の包装箱に入れた状態で運搬ならびに保管することができる。
【００２３】
殊に、本実施の形態では、前記ケース本体３における底部３５の内面３６に薄手のクッション材７が配置されており、被収納物２を収納したとき被収納物２の上方部分２３がケース本体３の開口端３３よりも上方へ突出した状態となり、前記蓋体４が前記被収納物２を収納した際に生じる弾性シートの上方への弾発力に抗して前記ケース本体の開口部を閉じる状態を維持する自重を有している。そのため、被収納物２の固定が確実であるとともに例えばフックのような固定部材も不要である。
【００２４】
尚、本実施の形態では被収納物２として化粧用コンパクトを用いたが、例えばワインなどのような瓶入りの液体、時計や宝飾品、電気製品などのような比較的高価で保管や搬送に際して衝撃や振動で破損のおそれがあるとともに外観状も美麗な装飾的な要素や財産的価値を有するものなど各種の商品について使用することができることはいうまでもない。
【００２５】
図５は、本考案の異なる実施の形態を示すものであり、全体の構成は前記図１乃至図４に示した実施の形態とほぼ同様であるが、ケース本体３の内部空間３２を上下方向に仕切る中枠５の高さ位置と中枠５の透窓５１を覆う弾性シート６の弾性が予め被収容物２の重さに応じて予め定められており、図５（ａ）に示すように、被収容物２を弾性シート６を介して透窓５１に嵌装した際に弾性シート６の弾性力により被収容物２をその上方部分２３がケース本体３の開口端３３よりも所定の高さだけ上方へ突出した状態となる。
【００２６】
従って、その状態で図５（ｂ）に示すように、蓋体４を閉じることにより被収容物２を弾性シート６の上方への弾性力と蓋体４による反力により被収納物２を挟侍することにより収納ケース１内に収納するものである。
【００２７】
本実施の形態によれば、収納する被収納物２の重量や平面の形状などに合わせて中枠５の高さおよび弾性シート６の弾性度を調整することにより、被収納物２をケース本体３における内部空間の所定の高さ位置に配置することができる。
【符号の説明】
【００２８】
１  収納ケース、２  被収納物、３  ケース本体、４  蓋体、５  中枠、６  弾性シート、７  クッション材、２２  底面、３１  開口部、３２  内部空間、５１  透窓
【図１】
0003162590.tif 000003
【図２】
0003162590.tif 000004
【図３】
0003162590.tif 000005
【図４】
0003162590.tif 000006
【図５】
0003162590.tif 000007